(57)【特許請求の範囲】
【請求項１】
ａ）少なくとも１つの開口部を有するテクスチャー変形部を有する少なくとも１つのテクスチャー化フィルムと、
ｂ）固形洗剤と
を備え、該少なくとも１つのテクスチャー化フィルムが該固形洗剤を包囲しており、前記テクスチャー化フィルムにおける開口部の面積はテクスチャー化フィルムの全表面の約１５％乃至約３５％であることを特徴とする固形洗剤ホルダー。
【請求項２】
前記テクスチャー化フィルムフィルムが実質的に恒久的に前記固形洗剤の周りを包囲する請求項１記載の固形洗剤ホルダー。
【請求項３】
前記テクスチャー化フィルムがポリオレフィン類、セルロース化合物類、ポリウレタン類、ポリアミド類、ポリエステル類、メタロセン・ポリエチレン類、並びにこれらのブレンドおよび共重合体から選ばれる請求項１記載の固形洗剤ホルダー。
【請求項４】
前記テクスチャー化フィルムがポリエチレン類、ポリプロピレン類、ポリビニルアセテート類、ポリアクリレート類、ポリビニルクロライド類、ポリビニリデンクロライド類、ポリビニルアルコール類並びにこれらのブレンドおよび共重合体から選ばれる請求項３記載の固形洗剤ホルダー。
【請求項５】
前記テクスチャー化フィルムが約０．１個／ｃｍ2 乃至約３００個／ｃｍ2 の範囲の量の多数の開口部を含む請求項１記載の固形洗剤ホルダー。
【請求項６】
前記テクスチャー化フィルムが該テクスチャー化フィルムに調節剤を含浸および／または堆積して含む請求項１記載の固形洗剤ホルダー。
【請求項７】
前記テクスチャー化フィルムが少なくとも２つの層を有する共押出し層を含む請求項１記載の固形洗剤ホルダー。
【請求項８】
前記テクスチャー化フィルムが少なくとも２層のフィルムシートを含む請求項１記載の固形洗剤ホルダー。
【請求項９】
前記さらに、テクスチャー化フィルムに実質的に覆われる内部基体を含む請求項１記載の固形洗剤ホルダー。
【請求項１０】
少なくとも１つの開口部を有するテクスチャー変形部を備えるテクスチャー化フィルム内に、該フィルムが固形洗剤を包囲するように該固形洗剤を封入し、前記テクスチャー化フィルムにおける開口部の面積はテクスチャー化フィルムの全表面の約１５％乃至約３５％であることを含むことを特徴とする固形洗剤のスリップ減少方法。
【請求項１１】
少なくとも１つの開口部を有するテクスチャー変形部を備えるテクスチャー化フィルム内に、該フィルムが固形洗剤を包囲するように該固形洗剤を封入し、前記テクスチャー化フィルムにおける開口部の面積はテクスチャー化フィルムの全表面の約１５％乃至約３５％であることを含むことを特徴とする固形洗剤の発泡能力改善方法。
【請求項１２】
少なくとも１つの開口部を有するテクスチャー変形部を備えるテクスチャー化フィルム内に、該フィルムが固形洗剤を包囲するように該固形洗剤を封入し、前記テクスチャー化フィルムにおける開口部の面積はテクスチャー化フィルムの全表面の約１５％乃至約３５％であることを含むことを特徴とする固形洗剤上の粥状物の形成を改善する方法。
【請求項１３】
少なくとも１つの開口部を有するテクスチャー変形部を備えるテクスチャー化フィルム内に、該フィルムが固形洗剤を包囲するように該固形洗剤を封入し、前記テクスチャー化フィルムにおける開口部の面積はテクスチャー化フィルムの全表面の約１５％乃至約３５％であることを含むことを特徴とする固形洗剤の消耗速度を低減する方法。
【請求項１４】
請求項１記載の固形洗剤ホルダーを水で濡らし、濡れた固形洗剤ホルダーに水と振動の量が固形洗剤ホルダー上に泡を形成するのに十分である振動を与え、該発泡性固形洗剤ホルダーを皮膚に適用し、かつ水ですすぐことを含むことを特徴とする皮膚を洗浄する方法。
【請求項１５】
請求項１記載の固形洗剤ホルダーを水で濡らし、濡れた固形洗剤ホルダーに水と振動の量が固形洗剤ホルダー上に泡を形成するのに十分である振動を与え、該発泡性固形洗剤ホルダーを皮膚に適用し、かつ水ですすぐことを含むことを特徴とする皮膚を剥離する方法。
【請求項１６】
少なくとも１つの開口部を有するテクスチャー変形部を備えるテクスチャー化フィルム内に、該フィルムが固形洗剤を包囲するように該固形洗剤を封入し、前記テクスチャー化フィルムにおける開口部の面積はテクスチャー化フィルムの全表面の約１５％乃至約３５％であることを含むことを特徴とする固形洗剤ホルダーの製造方法。
【発明の詳細な説明】
【０００１】
【発明が属する技術分野】
本発明は一般に洗剤および／またはスクラブ固形洗剤ホルダー並びにそれらの使用および製造に関する。さらに詳しくは、本発明は個人衛生用の柔軟な、テクスチャー化された洗剤および／またはスクラブ固形洗剤ホルダー並びにその使用に関する。
【０００２】
【従来の技術】
固形洗剤はきわめて普及している個人用洗剤であるが、それらは問題がないわけではない。棒（bar）石鹸のような固形洗剤を使用する際の問題の一つは濡れるとこの棒が滑りやすくなるため落としてしまうことである。固形洗剤に伴う他の問題は最終的には小さくなって取り扱いにくくなるため消費者の多くは小さくなると固形洗剤を捨ててしまい、浪費となる。棒石鹸の使用に付随する他の問題としては粥状物（mush）が形成されることである。粥状物は典型的には水中にある時間おかれた後に軟化した、湿った洗剤である。粥状物は典型的には固形洗剤の底部に形成され、非常に不快である。固形洗剤にまつわる他の問題は泡立ちが悪いことである。
【０００３】
洗浄用具は棒石鹸または液状の個人用洗浄剤とともに用いるように開発されてきた。既知の洗浄用具の一つとしてスポンジがある（例えば、米国特許第４，６２７，１２９号（網目状ポリウレタンフォーム・スポンジ）参照）。しかしながら、そのようなスポンジは水分と洗浄材料とを保持する傾向があるためカビ等の微生物の成長を促進してしまう。
【０００４】
他の既知の洗浄用具にはポリマー製メッシュ状パフがある（例えば、米国特許第５，７２７，２７８号、同第５，１４４，７４４号および同第５，７８４，７４７号参照）。しかしながら、そのようなパフはざらざらしており皮膚に対して肌理が粗い。
【０００５】
別の既知の洗浄用具は米国特許第４，５１５，７０３号に開示されているような、２枚の基層を相互に接着して石鹸等を収容するための多数のコンパートメントを形成してなる「閉じたサンドイッチ」構造である。しかしながら、これらの固形洗剤ホルダーは比較的に開放面が狭いため、泡立ちが比較的に少なく、その上水分を保持しやすい。
【０００６】
【発明が解決しようとする課題】
そこで、皮膚に優しいだけでなく、水分を保持しにくい固形洗剤ホルダーがあると望ましい。本発明の目的はそのような固形洗剤ホルダーを提供することである。さらに本発明の目的はそのような固形洗剤ホルダーを使用する種々の方法、すなわち、固形洗剤のスリップ減少方法、固形洗剤の発泡能力改善方法、固形洗剤上の粥状物の形成を改善する方法、固形洗剤の消耗速度を低減する方法、皮膚を洗浄する方法、および皮膚を剥離する方法を提供することである。
【０００７】
【課題を解決するための手段】
本発明によれば、ａ）少なくとも一つの開口部を含むテクスチャー変形部を有する少なくとも一つのテクスチャー化フィルムと、ｂ）固形洗剤とを備え、該少なくとも一つのテクスチャー化フィルムが該固形洗剤を包囲していることを特徴とする固形洗剤ホルダーが提供される。
【０００８】
本発明の固形洗剤ホルダーは皮膚に優しいだけでなく、すべり（slip）を低減することができかつ優れた泡立ちを生じることができる。本発明はまた固形洗剤に粥状物が形成される欠点を改善する方法に関する。この方法は固形洗剤を、テクスチャー変形部を有するテクスチャー化フィルム内に封入することを含む。本発明の他の実施態様は固形洗剤ホルダーの製造方法に関する。この方法はテクスチャー化されたフィルムが固形洗剤を包囲するように固形洗剤をテクスチャー化されたフィルム内に封入することを含む。本発明はまた上記の装置を使用することを含む皮膚の洗浄および／または剥離方法に関する。
【０００９】
【発明の実施の形態】
本発明は以下の説明および添付図面を参照すればさらによく理解され、さらなる利点が明らかになるであろう。
以下の詳細な説明に基づいて当業者は本発明を最大限に利用することができる。以下の特定の実施態様は単なる例示であって他の開示部分を何ら限定するものではないと理解されるべきである。
特に示さない限り、本明細書および特許請求の範囲に用いられている技術用語科学用語はすべて本発明の属する分野における当業者が普通に理解する意味を有する。また、本明細書に引用された刊行物、特許出願、特許等の引用例は参考のために本明細書において引用される。
【００１０】
上述したように、本発明は、少なくとも一つの開口部を含むテクスチャー変形部を有する少なくとも一つのテクスチャー化フィルムと、固形洗剤とを備え、該少なくとも一つのテクスチャー化フィルムが該固形洗剤を包囲していることを特徴とする固形洗剤ホルダーに関する。
【００１１】
好適な一実施態様では、この少なくとも一つのテクスチャー化フィルムは実質的に恒常的に固形洗剤の周りにシールされている。
【００１２】
本明細書において使用されているように、「テクスチャー変形部（texture variations）」という用語はフィルムにおける開口部（穴、スリットまたは隆起部）、陰刻またはエンボス加工を意味する。「テクスチャー化フィルム(textured film）」は少なくとも一つのテクスチャー変形部を有する任意のフィルムを意味する。本明細書において使用されているように、「実質的に恒常的に」は固形洗剤ホルダーのフィルムが洗浄用途に適している期間を少なくとも含む期間を意味する。「隆起部（protuberance）」はフィルムの第１の穴と、この第１の穴とは分離されているがフィルムの連続する壁により結合されている、異なる面にある第２の穴とがあるテクスチャー変形部を意味する。「ギャザーを形成した（gathered）」はフィルムを引き寄せて所望の形状にするための、折り曲げ（fold）、プリーツ（pleats）、スモック(smock）その他の任意の公知の技術を意味する。「不織布（nonwoven web）」という用語は編む方法または繊維を織る方法を用いずに形成される材料のクモの巣状のもの（web）を意味する。
【００１３】
テクスチャー化フィルム
本発明で使用されるテクスチャー化フィルムの例としては、限定されないが、ポリオレフィン類、セルロース化合物類、ポリウレタン類、ポリアミド類、ポリエステル類、メタロセン・ポリエチレン類、並びにこれらのブレンドおよび共重合体からなるものが挙げられる。テクスチャー化フィルムは、例えば米国特許第４，４５６，５７０号および同第４，５３５，０２０号に記載されているような、ポリエチレン類、ポリプロピレン類、ポリビニルアセテート類、ポリアクリレート類、ポリビニルクロライド類、ポリビニリデンクロライド類、ポリビニルアルコール類並びにこれらのブレンドおよび共重合体からなるものであることが好ましい。市販の好適な穿孔フィルムの例としてはTredegar Film Products, Inc.社から入手できる商品名VISPORE（登録商標）、Polymer Group, Inc.社から入手できる商品名RETICULON（登録商標）、Guial Inc.社から入手できる商品名VEOLEの各フィルムが挙げられるが、これらのうちVISPORE（登録商標）が好ましい。
【００１４】
テクスチャー化フィルムのテクスチャー変形部はフィルムに例えば米国特許第４，７４１，８７７号、同第３，９２９，１３５号、同第３，３９４，２１１号、同第４，６２９，６４３号、および同第４，８３９，２１６号並びに欧州特許出願第１，０４０，８０３号に記載されている既知の方法により形成してもよい。
【００１５】
一般に、得られたテクスチャー化フィルムは粗い面と対向する滑らかな面とを持つ。「滑らかな」面はテクスチャー変形部が生じる元となる面を意味し、「粗い」面は滑らかな面に対向する面を意味する。テクスチャー変形部が隆起部である場合、これらの隆起部は一般に円錐形をしている。当業者には自明であるように、テクスチャー変形部が陰刻またはエンボス加工である場合、これらは種々の形をとることができる。隆起部は外側または内側のいずれに向いていてもよい。例えば、剥離が重要である使用例においては、隆起部が外側に向いているのが好ましい。
【００１６】
テクスチャー化フィルムのテクスチャー変形部の種類と大きさは例えば所望の固形洗剤の種類、固形洗剤の放出（release）速度、すすぎ落とし易さ、泡の大きさ、および泡の体積によって変わってもよい。エンボス加工テクスチャー変形部だけでは改善された泡立ちを得るのには不十分である。従って、本発明の固形洗剤ホルダーに使用するのに適したテクスチャー化フィルムは少なくとも一つの開口部を備えている。一般に、テクスチャー化フィルムは約０．１個／ｃｍ2 乃至約３００個／ｃｍ2 、好ましくは約１．３個／ｃｍ2 乃至約３０個／ｃｍ2 、さらに好ましくは約１．５個／ｃｍ2 乃至約１５個／ｃｍ2 の範囲の量の、多数の開口部を備えている。好適な実施態様では、開口部の深さは０ｍｍより大きく約３ｍｍ以下である。
【００１７】
テクスチャー化フィルムを横断する開口部の平均直径で測定した開口部の大きさは約０．０１ｃｍ乃至約０．６ｃｍ、好ましくは約０．０５ｃｍ乃至約０．４ｃｍ、さらに好ましくは約０．１ｃｍ乃至約０．３５ｃｍの大きさの範囲内である。固形洗剤がゆっくりと使い果たされることが望ましい場合は、比較的に小さな平均直径、すなわち約０．１ｃｍ未満の開口部を用いるのが好ましい。
【００１８】
好適な実施態様では、テクスチャー変形部は開口部の組み合わせと、エンボス加工、陰刻およびこれらの混在からなる群から選ばれる少なくとも一つの追加のテクスチャー変形部とを備えている。陰刻またはエンボス加工が存在する場合、それらの存在量は一般に約７０００個／ｃｍ2 以下である。
【００１９】
好適なエンボス加工テクスチャー変形部の一例が米国特許第４，６２９，６４３号および同第４，８３９，２１６号並びに欧州特許出願第１，０４０，８０３号に開示されている。エンボス加工テクスチャー変形部の深さは穿孔フィルムの滑らかな面からエンボスの底部まで測定して、約０ｃｍより大きく約０．４ｃｍ以下、好ましくは約０．００５ｃｍ乃至約０．３ｃｍである。すすぎ落としが重要である好適な実施態様では、穿孔フィルムまたはエンボス深さが約０．０５ｃｍより大きいエンボス加工フィルムを用いるのが好ましい。
【００２０】
テクスチャー変形部はフィルムに穿孔によりまたはエンボス加工により設けることができる任意の形状をしていてもよい。テクスチャー変形部の形状は一般に、例えば所望の美観によって決まるが、テクスチャー変形部は概略の形状が円、多角形、ハニカム、卵形、ハート形、洋梨形、四角形、三角形、放射形、矩形、星またはそれらの組み合わせであってもよい。
【００２１】
本発明に使用するのに好適なテクスチャー化フィルムは開放面の面積が穿孔フィルムの全表面の約４５％以下であるものが好ましく、約１５％乃至約３５％のものがさらに好ましい。典型的には、フィルムの開放面の面積は「％開放面積（open area）」で表され、これは１００×面積比（area fraction）に等しい。本明細書において使用されている「面積比（fraction）」は穴（二次元のフィルムにおいて）の面積の合計または隆起部（三次元のフィルムにおいて）の最小開口部の面積の合計を検査した全表面積で除した値として計算することができる。
【００２２】
本発明の固形洗剤ホルダーに使用するのに好適なテクスチャー化フィルムの一つの種類はさらに下記表Ａに示される一般的な機械的特性を有する。
【００２３】
【表１】
0004376488.tif 000002
【００２４】
本発明の固形洗剤ホルダーに使用するのに好適なテクスチャー化フィルムは好ましくは三次元的である。本発明者はテクスチャー化フィルムから作製された三次元的固形洗剤ホルダーが非常に柔らかくて皮膚に優しいだけでなく大量の泡立ちを生じる能力を持つことを見いだした。
【００２５】
一実施態様において、固形洗剤を包囲するのに使用される材料は穿孔カレンダーがけ不織材料からなるものであってもよい。不織材料は当技術においてよく知られている。本発明では任意の不織材料を使用することができる。不織材料をカレンダーがけして材料の密度を増加させ、ついでニードルパンチングのような当技術において知られている方法により穿孔および／またはエンボス加工する。不織材料は上述のような同じ大きさの開口部およびエンボスを含んでいてもよい。単位面積当りの開口部およびエンボスの数は上述の材料について説明した通りである。
【００２６】
他の実施態様では、固形洗剤を包囲する材料はさらにテクスチャー化フィルムにより実質的に覆われている内部基体を備えていてもよい。この内部基体は連続セルのメッシュシート、多孔質のフォームシート、網状化フォームシート、天然繊維シート、ポリマー繊維（フィラメント、ステープル、スパンボンド、またはメルトブロー）シートおよびそれらの組み合わせからなるものであってもよい。
【００２７】
本発明に使用されるテクスチャー化フィルムは固形洗剤ホルダーの性能を改善するために該フィルムに添加されるフィルム調節剤（modifier）のような材料を含んでいてもよい。フィルム調節剤はテクスチャー化フィルムに含浸および／または堆積してもよい。当技術においてフィルムの物理的および／または美的性質を向上させることが知られている任意のフィルム調節剤を添加することができる。好適なフィルム調節剤の例としては、界面活性剤、抗微生物剤、色材、芳香剤、充填剤、シリカ、軽石、雲母、およびそれらの混合物が挙げられる。
【００２８】
界面活性剤は濡れを改善するのに有効な量を添加することができる。非イオン性界面活性剤、陰イオン性界面活性剤、陽イオン性界面活性剤、両性界面活性剤、ベタイン類、およびそれらの組み合わせを含むがこれらに限定されない任意の界面活性剤を使用することができる。これらの界面活性剤はフィルム形成工程時に基体内に導入（すなわち、穿孔フィルムを作製するのに用いられるポリマーを製造する重合工程に含める）ことができる。あるいはまた、これら界面活性剤を当技術において知られている手段により穿孔フィルムに含浸、堆積および／または塗布してもよい。
【００２９】
本発明の固形洗剤ホルダーに使用されるテクスチャー化フィルムは共押出しにより作製される少なくとも２つの層を含む共押出しフィルムからなるものであってもよい。共押出しは相互に接合された複合多層を提供する（一般には単一のダイをメルトが通過する１つ以上の押出機を使用する）。例えば、RosatoのPlastics Encyclopedia and Dictionary, １１９頁，１９９３年を参照できる。別の実施態様では、テクスチャー化フィルムは少なくとも２層のフィルムシートを含み、これらは周縁を相互にシールされた別々の基体であってもよく、または一つの基体をそれ自体折り重ねてシールしたものであってもよい。
【００３０】
固形洗剤ホルダー
本発明の固形洗剤ホルダーは固形洗剤をテクスチャー化フィルム内に、このテクスチャー化フィルムが固形洗剤を包囲するように封入することにより調製することができる。固形洗剤ホルダーは固形洗剤を包み込む少なくとも２枚のテクスチャー化フィルムを含み、相互に実質的に恒久的にシールされているのが好ましい。特に好適な実施態様では、図１に示すように、固形洗剤ホルダーは２枚の異なるテクスチャー化フィルムを含み、隆起部が相互に対向し、固形洗剤を包み込み３つの辺がシールされて実質的に恒久的に固形洗剤を包囲している。固形洗剤ホルダーのテクスチャー化フィルムは例えば加熱シーリング、加熱収縮、超音波シーリング、接着剤シーリング、ステッチシーリングおよび加圧シーリングのような、当技術において知られている固定技術の任意のものにより相互に固定されていてもよいが、加熱シーリングが好ましい。
【００３１】
別の実施態様では、固形洗剤ホルダーの各表面は少なくとも１層のテクスチャー化フィルムからなり、１つの表面のテクスチャー変形部が他の表面のテクスチャー変形部と異なっている。例えば、後者の実施態様では、１つの表面が隆起部が外側に向いているテクスチャー化フィルムからなり、他の表面が同じテクスチャー化フィルムであるが隆起部が内側に固形洗剤の方に向いているテクスチャー化フィルムからなるものであってもよい。あるいはまた、一つの表面のテクスチャー化フィルムの外側の層が他の表面のテクスチャー化フィルムの外側の層よりも小さいテクスチャー変形部を有していてもよい。
【００３２】
固形洗剤ホルダーと固形洗剤は例えば、限定されないが、丸い、四角い、矩形状の、卵形の、星形の、多角形、動物の形、手の形、ミットの形等の固形洗剤に適した任意の形をしていてもよい。
【００３３】
固形洗剤ホルダーは種々の方法により構成することができる。例えば、図２に示すように、テクスチャー化フィルムが固形洗剤を連続的に包囲し、このテクスチャー化フィルムがギャザーを形成し、このギャザーを形成したテクスチャー化フィルムを実質的に恒久的に保持する固定手段で固定したものであってもよい。別の実施態様では、テクスチャー化フィルムが固形洗剤を連続的に包囲し、１つ以上の辺がシールされている。例えば、図３に示すように、テクスチャー化フィルムが固形洗剤を包囲し、このテクスチャー化フィルムが層状化シートの形しており、４つの辺がシールされていてもよい。
【００３４】
別の実施態様では、固形洗剤ホルダーはさらに保持および／または係留する手段を含んでいてもよい。好適な保持および／または係留手段の例としてはフック、ループ、ストラップまたはストリングが挙げられる。そのような保持および／または係留手段は図４に示すような、テクスチャー化フィルムの連続片から作製されるものであってもよい。あるいはまた、この保持および／または係留手段は図５に示すような、固形洗剤ホルダーに取り付けられた延長片であってもよい。
【００３５】
固形洗剤
本発明の固形洗剤ホルダーに用いる固形洗剤の種類は重要ではない。一般に固形洗剤は液状形態ではない任意の洗剤である。例としては、限定されないが、棒（bar）、フレーク、ペレット、チップ、噴霧用粉末、ヌードル、半固体、ゲルおよび成形可能ペーストが挙げられる。固形洗剤は石鹸および／または合成界面活性剤を含んでなるものであってもよい。例えば、固形洗剤は鎖長が約１０乃至２２（カルボキシルの炭素を含めて）の炭化水素から誘導される石鹸を含み、飽和されているものが好ましい。この石鹸はナトリウム塩であるのが好ましいが、他の溶解性石鹸も使用することができる。カリウム、アンミニウム、トリエタノールアンモニウムおよびそれらの混合物も許容できる。石鹸類は現場（in situ）鹸化または相当する脂肪酸のハライド塩とのイオン交換により調製するのが好ましいが、予備形成石鹸として導入してもよい。ポリマーを用いる場合、石鹸の一部または全部をカチオンポリマーまたはポリマーと予め錯体化しておくのが好ましい。
【００３６】
好適な合成界面活性剤としては当技術において知られているもの、好ましくは当技術において個人洗浄用として知られているものが挙げられる。好適な界面活性剤の例としては、イセチオネート類、サルコシネート類、グリセリルエーテルスルホネート類が挙げられるが、これらは純粋な鎖長変種またはココナツ油のような市販の油由来のものであってもよい。この場合、ラウリル鎖長は所与の界面活性剤の重量の少なくとも２０％乃至１００％を占めているのが好ましい。
【００３７】
他の界面活性剤一般の例の多くが本発明に適するもののリストに含まれる。これらは限定された量のアニオン性アシルサルコシネート類、メチルアシルタウレート類、Ｎ−アシルグルタメート類、アルキルスルホサクシネート類、アルキルホスフェートエステル類、エトキシル化アルキルホスフェートエステル類、トリデセチルサルフェート（trideceth sulfate）、タンパク質縮合物、エトキシル化アルキルサルフェートとアルキルアミンオキサイド類との混合物、ベタイン類、スルタイン類、およびそれらの混合物を含む。界面活性剤に含まれるものとしては、１個乃至１２個のエポキシ基を有するアルキルエーテルサルフェート類、特にアンモニウムおよびナトリウムアルリルエーテルサルフェート類である。これらの他の界面活性剤のアルキル鎖はＣ8 乃至Ｃ22、好ましくはＣ10乃至Ｃ18である。アルキルグルコシド類およびメチルグルコシドエステル類は好適なマイルドな非イオン性界面活性剤であり、これらは本発明の組成物中で他のマイルドなアニオン性または両性界面活性剤と混合することができる。
【００３８】
本発明の固形洗剤は直鎖アルキルベンゼンスルホネート類および短鎖または入来の（ココナツ）アルキルサルフェート類をはじめとする高泡立ち性の、非マイルドな界面活性剤を０％乃至１０％含有していてもよい。合成洗剤棒はナトリウムでトッピングした蒸留Ｃ12乃至Ｃ18ココイルイセチオネートとナトリウム直鎖アルキルベンゼンサルホネートとの混合物を含有していてもよい。
【００３９】
バインダーを固形洗剤に導入してもよい。バインダーは液状水溶性脂肪族ポリオールまたはポリエチレングリコールもしくはポリプロピレングリコールであってもよい。このポリオールは飽和されていてもよく、エチレン性結合を含んでいてもよい。所望により、この化合物は鎖の各炭素に結合されたアルコール基を有していてもよい。これらの化合物の中にはエチレングリコール、プロピレングリコールおよびグリセリンが含まれる。
【００４０】
本発明の固形洗剤棒はこの固形洗剤棒の機能または美観を改善するために多くの添加物を含んでいてもよい。これらには迅速に含水するカチオン性のポリマー、香料類、植物油類、鉱油類、アルコール類、ハイドロトロープ類、色材、充填剤（例えばタルク、クレー、炭酸カルシウム）、保存剤類、抗菌剤類、塩類（有機および無機の両方）が含まれる。
【００４１】
固形洗剤はまた匂いを調節する成分、すなわち、ゼオライト類、セチルペリジウムクロライド、塩化錫、ＥＤＴＡ、ＢＨＴ等を含んでいてもよい。さらに、固形洗剤は同時継続の米国特許出願第０９／５０３，２６２号に記載されている「活性材料」を含んでいてもよい。
【００４２】
利点
本発明の固形洗剤ホルダーは滑りを低減する能力、例えば、洗浄の過程で洗剤棒が手から落下、または滑るのを防止する能力を有する。実施例３に示すように、本発明の固形洗剤ホルダーは従来の固形洗剤と比べて有意にスリップ特性を低減した。
【００４３】
本発明の固形洗剤ホルダー泡立ちを改善する能力を有する。従って、一実施態様において、本発明は固形洗剤をテクスチャー化フィルム内にこのテクスチャー化フィルムが固形洗剤を包囲するように封入することを含む固形洗剤の泡立ち能力を改善する方法であって、このテクスチャー化フィルムが少なくとも１つのテクスチャー変形部を備える方法に関する。
【００４４】
本発明の固形洗剤ホルダーの一つの利点は固形洗剤ホルダーが迅速に乾燥する能力を有することである。本発明の固形洗剤ホルダーのもう一つの利点は標準的な固形洗剤よりも長持ちすることであるが、その理由はこの固形洗剤ホルダーが固形洗剤と皮膚との間のバリヤーとなるため固形洗剤の消耗速度が低減されるからである。
【００４５】
迅速に乾く性質のため、本発明の固形洗剤ホルダーは標準的な固形洗剤に伴う粥状物を減らす能力を有する。粥状物は典型的には水中にある時間おかれた後に軟化した、湿った洗剤である。粥状物は典型的には固形洗剤の底部に形成され、きわめて不快である。
【００４６】
本発明の固形洗剤ホルダーは個人用洗浄棒として特に有効である。洗浄棒が消費されるに従って、薄く壊れ易くなり、すり減った洗剤の小片が残る。本発明の固形洗剤ホルダーは、主体の棒から固形洗剤が剥がれてもそれらがホルダー内に保持されるため、この問題が解決される。
【００４７】
他の実施態様では、本発明は固形洗剤ホルダーを水で濡らし、濡れた固形洗剤ホルダーに水と振動の量が固形洗剤ホルダー上に泡を形成するのに十分である振動を与え、この発泡性固形洗剤ホルダーを皮膚に適用し、かつ水ですすぐことを含む皮膚を剥離する方法に関する。この剥離の程度は、テクスチャー化変形部とフィルム組成物の大きさと寸法によるであろう。
【００４８】
本発明の固形洗剤ホルダーは従来の固形洗剤ホルダーの使用方法と同じ方法で使用することができる。一実施態様では、固形洗剤ホルダーは皮膚を洗浄する方法に使用することができる。この方法は固形洗剤ホルダーを水で濡らし、この濡れた固形洗剤ホルダーに水と振動の量が固形洗剤ホルダー上に泡を形成するのに十分である振動を与え、この発泡性固形洗剤ホルダーを皮膚に適用し、かつ水ですすぐことを含む。あるいはまた、本発明の固形洗剤ホルダー例えば、壁、カウンタトップ、車、器具、動物、玩具、靴等の任意の表面を洗浄するのに使用することができる。
【００４９】
ここに例示的に開示した本発明はここに具体的に開示しなかった任意の部品、成分または工程が存在しなくても、好適に実施することができる。以下に本発明の性質および実施方法をさらに詳細に説明するいくつかの実施例を挙げる。しかしながら、本発明はそれらの詳細に限定されない。
【００５０】
実施例
固形洗剤ホルダーの製造および使用
Tredegar Ｘ−２７３４０ロット番号＃１００８２４０１穿孔フィルムの２つの１０ｃｍ×６ｃｍ片を切断する。一方のフィルム片を他方のフィルム片に重ね合わせ、これらのフィルムの上端と下端を合わせ熱シールした。Johnson & Johnson India社から市販されているJohnson's（登録商標）Baby Soapをホルダーの内部に置き、右側端部同士を合わせ熱シールした。約２０個の固形洗剤ホルダーを同じ工程で同じ材料を用いて調製した。
一連の実験を行い、この固形洗剤ホルダーが棒石鹸の性能を向上させるか否かを決定した。特に、繰り返し手洗い後の重量損失、繰り返し手洗い後の泡生成、およびスリップの実験質的測定を分析した。
【００５１】
実施例１：  石鹸棒の重量損失
石鹸棒の重量を記録して各使用後に失われた製品の重量を決定した。各石鹸棒を最初に使用する前に秤量した。フィルムも石鹸棒に付する前に秤量した。また、石鹸棒とフィルムの総重量を使用前に記録した。ぬるま湯を用いて各石鹸棒を最初に濡らし、次いで手で２０回ひっくり返した。次いでこの石鹸棒をプラスチックフィルム上で乾燥させた。形成された泡を、舌圧子を用いて手から掻き取り、風袋を図った秤量皿上においた。次いで泡の重量を記録した。この工程を１０個のフィルムあり石鹸棒と１０個のフィルムなし石鹸棒について繰り返した。
石鹸棒はすべて一夜放置した。翌朝、これらの石鹸棒をひっくり返し、放置して乾燥を続けた。午後に、石鹸棒を秤量し、それらの重量を記録した。次いで、手洗い過程を各石鹸棒について繰り返した。石鹸棒の重量を１６回の手洗いサイクル中に測定し、泡の重量を１０サイクルについて測定した。結果を表Ｂに示す。
【００５２】
【表２】
0004376488.tif 000003
【００５３】
本検討の開始時、試験前に、フィルムの重量により、１０個のフィルムあり石鹸棒は一貫して若干ながら１０個のフィルムなし石鹸棒よりも重くなった（ｐ＜．００１）。
【００５４】
表Ｃは１６回の手洗いサイクルの間の石鹸棒の統計の要約をグラムで示す。１６回の手洗いサイクルの間の平均累積重量損失（グラム）の一覧を表Ｄに示す。
【００５５】
【表３】
0004376488.tif 000004
【００５６】
【表４】
0004376488.tif 000005
【００５７】
穿孔フィルムなし石鹸棒は一貫して平均０．５グラム／サイクルの重量損失を示した。穿孔フィルムあり石鹸棒は平均０．３グラム／サイクルの重量損失を示したが、重量損失のパターンは厳密に線形ではなかった。
第１６サイクル終了後、穿孔フィルムなし石鹸棒は平均９．３グラムを失ったのに対して、穿孔フィルムあり石鹸棒の損失は４．８グラムであった（Ｐ＜．００１）。変動の分析の結果、穿孔フィルムあり石鹸棒の累積重量損失は穿孔フィルムなし石鹸棒よりも１６回の手洗いサイクルのすべてにおいて低いことがわかった（Ｐ＜．００１）。従って、本発明の固形洗剤ホルダーは固形洗剤をより有効に使用できるようにする。
【００５８】
実施例２：  手洗い中の泡の生成
上記実験における手洗い中に生成された泡を秤量した。結果を表Ｅに示す。
【００５９】
【表５】
0004376488.tif 000006
【００６０】
１０サイクルのそれぞれにおいて、およびすべてのサイクルを結合したものに対して、穿孔フィルムが存在すると平均泡生成量は有意に高くなった（Ｐ＜．００１）。考察の結果示唆されることは、穿孔フィルムなし石鹸棒から生成される泡はサイクル数の増加につれて増加する傾向があり、一方穿孔フィルムあり石鹸棒はより一定した量の泡を生成することである。この考察は変動の解析により確認される。すなわち、穿孔フィルムなし石鹸棒は泡の生成の平均増加量が０．０３７グラム／サイクル（Ｐ＜．００１）であるのに対して、穿孔フィルムあり石鹸棒からの泡の生成量は変化しなかった（Ｐ＞．５０）
【００６１】
実施例３：  滑り角（スリップ）の測定
本発明の穿孔フィルム封入あり石鹸棒、封入なし石鹸棒の滑り易さ（slipperiness）を決定するために試験方法を開発した。１０個の穿孔フィルム包装および未包装石鹸棒を水道水のぬるま湯（約４０℃）に１０分間漬けた。２０ｃｍ×２０ｃｍのステンレス鋼製トッププレートを有する変形実験室用ジャッキの位置を平滑な表面上でこのプレートの前端の高さをこのプレートの後端の高さに対して測定することによりチェックした。単一の石鹸棒をステンレス鋼製トッププレート上におき、ハンドルを回して角度を変えた。この角度を石鹸棒がトッププレート上で滑り始めるまで増加した。この時点でプレートの前端の高さと後端の高さとを再び測定した。これらの高さの間の差はすべり高さである。スリップ角度を次のように計算した。
スリップ角度＝Ｓｉｎ-1（滑り高さ／トッププレート長さ）
（上式中、トッププレート長＝２０ｃｍである。）
スリップ角度が高くなると生成物の滑り易さが少なくなる。この実験結果を表Ｆに要約して示す。
【００６２】
【表６】
0004376488.tif 000007
【００６３】
変動の一方向の解析の結果、穿孔フィルムあり石鹸棒は穿孔フィルムなし石鹸棒よりも有意に高い（Ｐ＜．００１）ことが見いだされた。従って、本発明の石鹸棒ホルダーは石鹸棒をより滑りにくくする。
【００６４】
本発明の好適な実施態様の例は限定されないが、次の通りである。
（実施態様Ａ）
ａ）少なくとも１つの開口部を有するテクスチャー変形部を有する少なくとも１つのテクスチャー化フィルムと、
ｂ）固形洗剤と
を備え、該少なくとも１つのテクスチャー化フィルムが該固形洗剤を包囲していることを特徴とする固形洗剤ホルダー。
（１）前記テクスチャー化フィルムフィルムが実質的に恒久的に前記固形洗剤の周りを包囲する実施態様Ａ記載の固形洗剤ホルダー。
（２）前記固形洗剤が棒、フレーク、ペレット、チップ、噴霧用粉末、ヌードル、半固体、ゲルおよび成形可能ペーストからなる群から選ばれる実施態様Ａ記載の固形洗剤ホルダー。
（３）前記固形洗剤が石鹸、合成界面活性剤、またはそれらの混合物を含む実施態様Ａ記載の固形洗剤ホルダー。
（４）前記固形洗剤が石鹸棒である実施態様Ａ記載の固形洗剤ホルダー。
（５）前記テクスチャー化フィルムがポリオレフィン類、セルロース化合物類、ポリウレタン類、ポリアミド類、ポリエステル類、メタロセン・ポリエチレン類、並びにこれらのブレンドおよび共重合体から選ばれる実施態様Ａ記載の固形洗剤ホルダー。
【００６５】
（６）前記テクスチャー化フィルムがポリエチレン類、ポリプロピレン類、ポリビニルアセテート類、ポリアクリレート類、ポリビニルクロライド類、ポリビニリデンクロライド類、ポリビニルアルコール類並びにこれらのブレンドおよび共重合体から選ばれる実施態様（５）記載の固形洗剤ホルダー。
（７）前記開口部が穴、スリットまたは隆起部の形である実施態様Ａ記載の固形洗剤ホルダー。
（８）前記テクスチャー化フィルムが約０．１個／ｃｍ2 乃至約３００個／ｃｍ2 の範囲の量の多数の開口部を含む実施態様Ａ記載の固形洗剤ホルダー。
（９）前記テクスチャー化フィルムが約１．３個／ｃｍ2 乃至約３０個／ｃｍ2 の範囲の量の開口部を含む実施態様（８）記載の固形洗剤ホルダー。
（１０）前記テクスチャー化フィルムが約１．５個／ｃｍ2 乃至約１５個／ｃｍ2 の範囲の範囲の量の開口部を含む実施態様（９）記載の固形洗剤ホルダー。
【００６６】
（１１）前記開口部の深さが０ｍｍより大きく約３ｍｍ以下である実施態様Ａ記載の固形洗剤ホルダー。
（１２）前記開口部の直径が約０．０１ｃｍ乃至約０．６ｃｍの範囲内である実施態様Ａ記載の固形洗剤ホルダー。
（１３）前記開口部の直径が約０．０５ｃｍ乃至約０．４ｃｍの範囲内である実施態様（１２）記載の固形洗剤ホルダー。
（１４）前記開口部の直径が約約０．１ｃｍ乃至約０．３５ｃｍの範囲内である実施態様（１３）記載の固形洗剤ホルダー。
（１５）前記テクスチャー変形部が開口部の組み合わせと、エンボス加工、陰刻およびこれらの混在からなる群から選ばれる少なくとも一つの追加のテクスチャー変形部とを備えている実施態様Ａ記載の固形洗剤ホルダー。
【００６７】
（１６）前記少なくとも一つの追加のテクスチャー変形部が約７０００個／ｃｍ2 以下の量で存在する実施態様（１５）記載の固形洗剤ホルダー。
（１７）前記少なくとも１つの開口部が固形洗剤から外側に向いている隆起部である実施態様Ａ記載の固形洗剤ホルダー。
（１８）前記少なくとも１つの開口部が固形洗剤に内側に向いている隆起部である実施態様Ａ記載の固形洗剤ホルダー。
（１９）２つの異なるテクスチャー化フィルムを備え、該テクスチャー化フィルムは相互に対向する隆起部を含む実施態様Ａ記載の固形洗剤ホルダー。
（２０）前記テクスチャー変形部が概略の形状が円、多角形、ハニカム、卵形、ハート形、洋梨形、四角形、三角形、放射形、矩形、星またはそれらの組み合わせから選ばれる実施態様Ａ記載の固形洗剤ホルダー。
【００６８】
（２１）前記テクスチャー化フィルムの開放面の面積が穿孔フィルムの全表面の約４５％以下である実施態様Ａ記載の固形洗剤ホルダー。
（２２）前記テクスチャー化フィルムの開放面の面積が穿孔フィルムの全表面の約１５％乃至約３５％である実施態様（２１）記載の固形洗剤ホルダー。
（２３）前記テクスチャー化フィルムが該テクスチャー化フィルムに調節剤を含浸および／または堆積して含む実施態様Ａ記載の固形洗剤ホルダー。
（２４）前記調節剤が界面活性剤、抗微生物剤、色材、芳香剤、充填剤、シリカ、軽石、雲母、およびそれらの混合物からなる群から選ばれる実施態様（２３）記載の固形洗剤ホルダー。
（２５）前記テクスチャー化フィルムが少なくとも２つの層を有する共押出し層を含む実施態様Ａ記載の固形洗剤ホルダー。
【００６９】
（２６）前記テクスチャー化フィルムが少なくとも２層のフィルムシートを含む実施態様Ａ記載の固形洗剤ホルダー。
（２７）前記少なくとも２層のフィルムシートが別々の基体を周縁に沿って相互にシールしたものである実施態様（２６）記載の固形洗剤ホルダー。
（２８）前記少なくとも２層のフィルムシートが単一の基体をそれ自体折り曲げたものである実施態様（２７）記載の固形洗剤ホルダー。
（２９）前記さらに、テクスチャー化フィルムに実質的に覆われる内部基体を含む実施態様Ａ記載の固形洗剤ホルダー。
（３０）前記内部基体が連続セルのメッシュシート、多孔質のフォームシート、網状化フォームシート、天然繊維シート、ポリマー繊維（フィラメント、ステープル、スパンボンド、またはメルトブロー）シートおよびそれらの組み合わせから選ばれる実施態様（２８）記載の固形洗剤ホルダー。
【００７０】
（３１）丸い、四角い、矩形状の、卵形の、星形の、多角形、動物の形、手の形、ミットの形からなる群から選ばれる形の実施態様Ａ記載の固形洗剤ホルダー。
（３２）さらにフック、ループ、ストラップまたはストリングの形の保持手段を備える実施態様Ａ記載の固形洗剤ホルダー。
（３３）前記保持手段がテクスチャー化フィルムの連続片である実施態様（３２）記載の固形洗剤ホルダー。
（３４）前記固形洗剤を包み込み、相互に実質的に恒久的にシールされた少なくとも２つのテクスチャー化フィルムを備える実施態様Ａ記載の固形洗剤ホルダー。
（３５）固形洗剤を包み込む少なくとも２つのテクスチャー化フィルムを含み、３つの辺においてシールされて相互に実質的に恒久的に前記固形洗剤を包囲する実施態様Ａ記載の固形洗剤ホルダー。
【００７１】
（３６）前記テクスチャー化フィルムが前記固形洗剤を連続的に包囲し、その際前記テクスチャー化ギャザーを形成し、該ギャザーを形成したテクスチャー化フィルムを実質的に恒久的に保持する固定手段で固定してなる実施態様Ａ記載の固形洗剤ホルダー。
（３７）前記テクスチャー化フィルムが前記固形洗剤を連続的に包囲し、少なくとも一方の面状に位置する実施態様Ａ記載の固形洗剤ホルダー。
（３８）スリップ角度が少なくとも５°である実施態様Ａ記載の固形洗剤ホルダー。
（実施態様Ｂ）
少なくとも１つの開口部を有するテクスチャー変形部を備えるテクスチャー化されたフィルム内に、該フィルムが固形洗剤を包囲するように該固形洗剤を封入することを含むことを特徴とする固形洗剤ホルダーの製造方法。
（３９）前記テクスチャー化フィルムが実質的に恒久的に前記固形洗剤の周りにシールされる実施態様Ｂ記載の方法。
（４０）前記テクスチャー化フィルムが加熱シーリング、加熱収縮、超音波シーリング、接着剤シーリング、ステッチシーリングおよび加圧シーリングからなる群から選ばれるシーリング工程を用いて前記固形洗剤の周りに実質的に恒久的にシールされる実施態様（３９）記載の方法。
（４１）前記テクスチャー化フィルムが少なくとも２つの面上にシールされる実施態様Ｂ記載の方法。
【００７２】
【発明の効果】
本発明によれば、上述したように構成したことで、皮膚に優しいだけでなく、水分を保持しにくい固形洗剤ホルダーを提供することができる。また、そのような固形洗剤ホルダーを使用した種々の方法、そのような固形洗剤ホルダーを使用する種々の方法、すなわち、固形洗剤のスリップ減少方法、固形洗剤の発泡能力改善方法、固形洗剤上の粥状物の形成を改善する方法、固形洗剤の消耗速度を低減する方法、皮膚を洗浄する方法、および皮膚を剥離する方法を提供することができる。
【図面の簡単な説明】
【図１】本発明の固形洗剤ホルダーの一実施態様を示す図であり、固形洗剤ホルダーが相互に対向する隆起部を有する２つの異なるテクスチャー化フィルムを含み、それらのフィルムが固形洗剤を包み込み、３つの側がシールされて実質的に恒常的に固形洗剤を包囲していることを示す。
【図２】本発明の固形洗剤ホルダーの一実施形態を示す図であり、テクスチャー化フィルムが固形洗剤を連続的に包囲し、ギャザーを形成され、このギャザーを形成されたテクスチャー化フィルムを実質的に恒常的に繋ぎ合わせるための固定手段を用いて固定されていることを示す。
【図３】本発明の固形洗剤ホルダーの一実施形態を示す図であり、テクスチャー化フィルムが固形洗剤を連続的に包囲し、４つの辺をシールした層状化されたシートの形をしていることを示す。
【図４】本発明の固形洗剤ホルダーの一実施形態を示す図であり、テクスチャー化フィルムがさらにテクスチャー化フィルムの連続片からなる保持および／または係留手段を備えていることを示す。
【図５】本発明の固形洗剤ホルダーの一実施形態を示す図であり、テクスチャー化フィルムがさらにテクスチャー化フィルムの取り付け片からなる保持および／または係留手段を備えていることを示す。
【図１】
0004376488.tif 000008
【図２】
0004376488.tif 000009
【図３】
0004376488.tif 000010
【図４】
0004376488.tif 000011
【図５】
0004376488.tif 000012